(57)【要約】【課題】２つの表示部を有する携帯型情報処理装置において、２つの表示部の色の表示状態を適正にすることを目的とする。【課題を解決するための手段】  携帯型情報処理装置は、第１の表示部が設けられた第１の筐体と、第２の表示部が設けられた第２の筐体と、前記第１の筐体と前記第２の筐体とを回転可能に連結する連結部と、前記第１の筐体の前記第１の表示部が配置された面に設けられ、第２の表示部のカラーキャリブレーションで使用される第１のカラー検出手段と、前記第２の筐体の前記第２の表示部が配置された面に設けられ、第１の表示部のカラーキャリブレーションで使用される第２のカラー検出手段と、を備えている。【選択図】図１
2016133714.tif 000002
【特許請求の範囲】
【請求項１】
第１の表示部が設けられた第１の筐体と、
第２の表示部が設けられた第２の筐体と、
前記第１の筐体と前記第２の筐体とを回転可能に連結する連結部と、
前記第１の筐体の前記第１の表示部が配置された面に設けられた第１のカラー検出手段と、
前記第２の筐体の前記第２の表示部が配置された面に設けられた第２のカラー検出手段と、
前記第１の表示部にカラーパターンを表示して、前記第２のカラー検出手段の当該カラーパターンの検出結果に基づいて、前記第１の表示部のカラーキャリブレーションを実行し、また、前記第２の表示部にカラーパターンを表示して、前記第１のカラー検出手段の当該カラーパターンの検出結果に基づいて、前記第２の表示部のカラーキャリブレーションを実行するキャリブレーション実行手段と、
を備えたことを特徴とする携帯型情報処理装置。
【請求項２】
前記第１の表示部と前記第２の表示部が内側を向いた状態で前記第１の筐体と前記第２の筐体が閉じられた状態において、前記第１のカラー検出手段は、前記第１の表示部と対向する位置に配置されており、前記第２のカラー検出手段は、前記第２の表示部と対向する位置に配置されていることを特徴とする請求項１に記載の携帯型情報処理装置。
【請求項３】
前記第１の表示部と前記第２の表示部は線対称に形成されており、
前記第１の筐体及び前記第２の筐体の少なくとも一方を水平方向にスライド可能なスライド機構を備え、
前記スライド機構は、前記第１の表示部と前記第２の表示部が内側を向いた状態で前記第１の筐体と前記第２の筐体が閉じられた状態において、前記第１のカラー検出手段が前記第１の表示部と対向する位置となり、前記第２のカラー検出手段が、前記第２の表示部と対向する位置となるように、前記第１の筐体及び前記第２の筐体の少なくとも一方を水平方向にスライドさせることを特徴とする請求項１に記載の携帯型情報処理装置。
【請求項４】
前記キャリブレーション実行手段は、前記第１の表示部と前記第２の表示部が内側を向いた状態で前記第１の筐体と前記第２の筐体が閉じられた状態において前記カラーキャリブレーションを実行することを特徴とする請求項１〜請求項３のいずれか１つに記載の携帯型情報処理装置。
【請求項５】
前記キャリブレーション実行手段は、前記第１の表示部と前記第２の表示部との色の表示状態を揃えるように調整することを特徴とする請求項１〜請求項４のいずれか１つに記載の携帯型情報処理装置。
【請求項６】
前記キャリブレーション実行手段は、前記第１の表示部及び前記第２の表示部の色の表示状態が初期値になるように調整することを特徴とする請求項５に記載の携帯型情報処理装置。
【請求項７】
前記キャリブレーション実行手段は、前記第１の表示部及び前記第２の表示部の一方の色の表示状態に、他方の色の表示状態を揃えるように調整することを特徴とする請求項５に記載の携帯型情報処理装置。
【請求項８】
前記第１及び第２のカラー検出手段は、照度センサであることを特徴とする請求項１〜請求項７のいずれか１つに記載の携帯型情報処理装置。
【請求項９】
前記第１及び第２のカラー検出手段は、カメラであることを特徴とする請求項１〜請
求項７のいずれか１つに記載の携帯型情報処理装置。
【請求項１０】
携帯型情報処理装置により実行されるカラーキャリブレーション方法であって、
前記携帯型情報処理装置は、
第１の表示部が設けられた第１の筐体と、
第２の表示部が設けられた第２の筐体と、
前記第１の筐体と前記第２の筐体とを回転可能に連結する連結部と、
前記第１の筐体の前記第１の表示部が配置された面に設けられた第１のカラー検出手段と、
前記第２の筐体の前記第２の表示部が配置された面に設けられた第２のカラー検出手段と、
を備え、
前記カラーキャリブレーション方法は、
前記第１の表示部にカラーパターンを表示して、前記第２のカラー検出手段の当該カラーパターンの検出結果に基づいて、前記第１の表示部のカラーキャリブレーションを実行し、また、前記第２の表示部にカラーパターンを表示して、前記第１のカラー検出手段の当該カラーパターンの検出結果に基づいて、前記第２の表示部のカラーキャリブレーションを実行する工程を含むことを特徴とするカラーキャリブレーション方法。
【請求項１１】
携帯型情報処理装置に搭載されるプログラムであって、
前記携帯型情報処理装置は、
第１の表示部が設けられた第１の筐体と、
第２の表示部が設けられた第２の筐体と、
前記第１の筐体と前記第２の筐体とを回転可能に連結する連結部と、
前記第１の筐体の前記第１の表示部が配置された面に設けられた第１のカラー検出手段と、
前記第２の筐体の前記第２の表示部が配置された面に設けられた第２のカラー検出手段と、
を備え、
前記プログラムは、
前記第１の表示部にカラーパターンを表示して、前記第２のカラー検出手段の当該カラーパターンの検出結果に基づいて、前記第１の表示部のカラーキャリブレーションを実行し、また、前記第２の表示部にカラーパターンを表示して、前記第１のカラー検出手段の当該カラーパターンの検出結果に基づいて、前記第２の表示部のカラーキャリブレーションを実行する工程を、コンピュータに実行させることを特徴とするコンピュータが実行可能なプログラム。
【発明の詳細な説明】
【技術分野】
【０００１】
本発明は、携帯型情報処理装置、そのカラーキャリブレーション方法、及びコンピュータが実行可能なプログラムに関する。
【背景技術】
【０００２】
近時、スマートフォン、ファブレット、タブレット、及びＰＣ等の携帯型情報処理装置では、２画面を有するものも提案されている。２画面を有する携帯型情報処理装置では、第１のディスプレイが配置された第１の筐体と、第２のディスプレイが配置された第２の筐体とを回転可能に連結した構成となっており、第１の筐体に対して、第２の筐体が少なくとも１８０度回転可能になっている。２画面を有する携帯型情報処理装置では、第１のディスプレイと第２のディスプレイが内側を向いて対向するクローズ構成、第１の画面と第２の画面が外側を向いて対向するベーシック構成、タブレット構成、テント構成、ブック構成等の各種構成を取ることができるものもある。
【０００３】
ここで、２つのディスプレイの色の表示状態は、経時的に異っていく可能性がある。例えば、一方のディスプレイのみが赤みがかった表示となる場合がある。２つのディスプレイの色の表示状態が異なるとユーザにとって見づらいものとなる。特に、２つのディスプレイを同時に使用するタブレット構成やクラムシェル構成の場合にはより見づらいものとなる。そのため、２つのディスプレイの色の表示状態を合わせることが望まれる。
【先行技術文献】
【特許文献】
【０００４】
【特許文献１】特開２０１１−１８０３８３号公報
【特許文献２】特開２０１２−７４９０７号公報
【発明の概要】
【発明が解決しようとする課題】
【０００５】
本発明は、上記に鑑みてなされたものであり、２つの表示部を有する携帯型情報処理装置において、２つの表示部の色の表示状態を適正にすることが可能な携帯型情報処理装置、そのカラーキャリブレーション方法、及びコンピュータが実行可能なプログラムを提供することを目的とする。  
【課題を解決するための手段】
【０００６】
上述した課題を解決し、目的を達成するために、本発明は、第１の表示部が設けられた第１の筐体と、第２の表示部が設けられた第２の筐体と、前記第１の筐体と前記第２の筐体とを回転可能に連結する連結部と、前記第１の筐体の前記第１の表示部が配置された面に設けられた第１のカラー検出手段と、前記第２の筐体の前記第２の表示部が配置された面に設けられた第２のカラー検出手段と、前記第１の表示部にカラーパターンを表示して、前記第２のカラー検出手段の当該カラーパターンの検出結果に基づいて、前記第１の表示部のカラーキャリブレーションを実行し、また、前記第２の表示部にカラーパターンを表示して、前記第１のカラー検出手段の当該カラーパターンの検出結果に基づいて、前記第２の表示部のカラーキャリブレーションを実行するキャリブレーション実行手段と、を備えたことを特徴とする。
【０００７】
また、本発明の好ましい態様によれば、前記第１の表示部と前記第２の表示部が内側を向いた状態で前記第１の筐体と前記第２の筐体が閉じられた状態において、前記第１のカラー検出手段は、前記第１の表示部と対向する位置に配置されており、前記第２のカラー検出手段は、前記第２の表示部と対向する位置に配置されていることが望ましい。
【０００８】
また、本発明の好ましい態様によれば、前記第１の表示部と前記第２の表示部は線対称に形成されており、前記第１の筐体及び前記第２の筐体の少なくとも一方を水平方向にスライド可能なスライド機構を備え、前記スライド機構は、前記第１の表示部と前記第２の表示部が内側を向いた状態で前記第１の筐体と前記第２の筐体が閉じられた状態において、前記第１のカラー検出手段が前記第１の表示部と対向する位置となり、前記第２のカラー検出手段が、前記第２の表示部と対向する位置となるように、前記第１の筐体及び前記第２の筐体の少なくとも一方を水平方向にスライドさせることが望ましい。
【０００９】
また、本発明の好ましい態様によれば、前記キャリブレーション実行手段は、前記第１の表示部と前記第２の表示部が内側を向いた状態で前記第１の筐体と前記第２の筐体が閉じられた状態で前記カラーキャリブレーションを実行することが望ましい。
【００１０】
また、本発明の好ましい態様によれば、前記キャリブレーション実行手段は、前記第１の表示部と前記第２の表示部との色の表示状態を揃えるように調整することが望ましい。
【００１１】
また、本発明の好ましい態様によれば、前記キャリブレーション実行手段は、前記第１の表示部と前記第２の表示部との色の表示状態が初期値になるように調整することが望ましい。
【００１２】
また、本発明の好ましい態様によれば、前記キャリブレーション実行手段は、前記第１の表示部及び前記第２の表示部のうちの一方の色の表示状態に、他方の色の表示状態を揃えるように調整することが望ましい。
【００１３】
また、本発明の好ましい態様によれば、前記第１及び第２のカラー検出手段は、照度センサであることが望ましい。
【００１４】
また、本発明の好ましい態様によれば、前記第１及び第２のカラー検出手段は、カメラであることが望ましい。
【００１５】
また、上述した課題を解決し、目的を達成するために、本発明は、携帯型情報処理装置により実行されるカラーキャリブレーション方法であって、前記携帯型情報処理装置は、
第１の表示部が設けられた第１の筐体と、第２の表示部が設けられた第２の筐体と、前記第１の筐体と前記第２の筐体とを回転可能に連結する連結部と、前記第１の筐体の前記第１の表示部が配置された面に設けられた第１のカラー検出手段と、前記第２の筐体の前記第２の表示部が配置された面に設けられた第２のカラー検出手段と、を備え、前記カラーキャリブレーション方法は、前記第１の表示部にカラーパターンを表示して、前記第２のカラー検出手段の当該カラーパターンの検出結果に基づいて、前記第１の表示部のカラーキャリブレーションを実行し、また、前記第２の表示部にカラーパターンを表示して、前記第１のカラー検出手段の当該カラーパターンの検出結果に基づいて、前記第２の表示部のカラーキャリブレーションを実行する工程を含むことを特徴とする。
【００１６】
また、上述した課題を解決し、目的を達成するために、本発明は、携帯型情報処理装置に搭載されるプログラムであって、前記携帯型情報処理装置は、第１の表示部が設けられた第１の筐体と、第２の表示部が設けられた第２の筐体と、前記第１の筐体と前記第２の筐体とを回転可能に連結する連結部と、前記第１の筐体の前記第１の表示部が配置された面に設けられた第１のカラー検出手段と、前記第２の筐体の前記第２の表示部が配置された面に設けられた第２のカラー検出手段と、を備え、前記プログラムは、前記第１の表示部にカラーパターンを表示して、前記第２のカラー検出手段の当該カラーパターンの検出結果に基づいて、前記第１の表示部のカラーキャリブレーションを実行し、また、前記第２の表示部にカラーパターンを表示して、前記第１のカラー検出手段の当該カラーパターンの検出結果に基づいて、前記第２の表示部のカラーキャリブレーションを実行する工程を、コンピュータに実行させることを特徴とする。
【発明の効果】
【００１７】
本発明によれば、２つの表示部を有する携帯型情報処理装置において、２つの表示部の色の表示状態を適正にすることが可能となるという効果を奏する。
【図面の簡単な説明】
【００１８】
【図１】図１は、本実施の形態にかかる携帯型情報処理装置の外観構成を示す斜視図である。
【図２】図２は、携帯型情報処理装置の各種状態を説明するための図である。
【図３】図３は、携帯型情報処理装置がクローズ状態にある場合の断面構成を模式的に示す図である。
【図４】図４は、携帯型情報処理装置の概略のハードウェア構成を示す図である。
【図５】図５は、カラーキャリブレーションを行う場合のユーザ操作を説明するための説明図である。
【図６】図６は、制御部の制御によって実行されるカラーキャリブレーション処理の動作の一例を説明するためのフローチャートである。
【図７】図７は、第２の筐体をＹ方向にスライドさせる例を説明するための模式図である。
【図８】図８は、第２の筐体をＸ方向にスライドさせる例を説明するための模式図である。
【発明を実施するための形態】
【００１９】
以下に、この発明にかかる携帯型情報処理装置、そのカラーキャリブレーション方法、及びコンピュータが実行可能なプログラムを図面に基づいて詳細に説明する。本発明の構成要素は、本明細書の図面に一般に示してあるが、様々な構成で広く多様に配置し設計してもよいことは容易に理解できる。したがって、本発明の装置、システム及び方法の実施形態についての以下のより詳細な説明は、特許請求の範囲に示す本発明の範囲を限定するものではなく、単に本発明の選択した実施形態の一例を示すものであって、特許請求の範囲に示す本発明と矛盾無く装置、システム及び方法についての選択した実施形態を単に示すものである。当業者は、特定の細目の１つ以上が無くても、又は他の方法、部品、材料でも本発明を実現できることが理解できる。また、フローチャートの各ステップを実行する順番はフローチャートに示す順番に限定されるものではなく、本発明の趣旨を逸脱しない範囲で順番を変更してもよい。なお、この実施の形態によりこの発明が限定されるものではない。また、下記実施の形態における構成要素には、当業者が容易に想定できるもの又は実質的に同一のものが含まれる。
【００２０】
（実施の形態）
図１〜図３を参照して、本実施の形態にかかる携帯型情報処理装置の構成を説明する。本実施の形態にかかる携帯型情報処理装置は、２つのディスプレイを有する携帯型情報処理装置であり、例えば、スマートフォン、ファブレット、タブレット、及びＰＣ等である。
【００２１】
図１は、本実施の形態にかかる携帯型情報処理装置の外観構成を示す斜視図である。本実施の形態にかかる携帯型情報処理装置１は、第１の筐体１０と、第２の筐体２０と、を備えている。また、携帯型情報処理装置１は、第１の筐体１０と第２の筐体２０との間にヒンジ（連結部）３０を備えている。
【００２２】
ヒンジ３０は、第１の筐体１０と第２の筐体２０とを回転可能に連結する。回転軸δに対する第１の筐体１０と第２の筐体２０との角度を「θ」と規定する。より詳細には、ヒンジ３０は、第１の筐体１０と第２の筐体２０とを回転軸δを中心に実質的に３６０度回転可能に連結する。ヒンジ３０は、例えば、１軸〜３軸のヒンジを使用することができる。携帯型情報処理装置１は、ヒンジ３０により各種状態を取ることが可能となっている。
【００２３】
第１の筐体１０は、第１のタッチ表示部１１と、第１のカラーセンサ（第１のカラー検出手段）１２と、回路基板（不図示）を備えている。第１の筐体１０は、略矩形であり、第１のタッチ表示部１１及び第１のカラーセンサ１２が配置される第１の面１０Ａ、第１の面１０Ａに対向する第２の面１０Ｂ、短手方向の互いに対向する側面１０Ｃ、１０Ｄ、長手方向の互いに対向する側面１０Ｅ、１０Ｆを備えている。
【００２４】
第１のタッチ表示部１１は、第１の面１０Ａの略中央に配置されている。第１のタッチ表示部１１は、第１の表示部１１ｂと、第１の表示部１１ｂに重畳された第１のタッチパネル１１ａとを有する。第１のタッチ表示部１１は、第１の表示部１１ｂに文字、図形、画像等の情報を表示するとともに、指、スタイラス、ペン等（以下、「指示体」と称する）を用いて第１のタッチパネル１１ａに対して行われる各種操作を検出する。第１のタッチパネル１１ａが各種操作を検出する方式は、静電容量式、感圧式等の方式を採用することができる。  
【００２５】
第１のカラーセンサ１２は、第１の面１０Ａのタッチ表示部１１の上方、すなわち、第１の面１０Ａの側面１０Ｆ側に配置されている。第１のカラーセンサ１２は、第２のタッチ表示部２１（第２の表示部２１ｂ）のカラーキャリブレーションを実行する場合に使用される。
【００２６】
第２の筐体２０は、第２のタッチ表示部２１と、第２のカラーセンサ（第２のカラー検出手段）２２と、回路基板（不図示）を備えている。
【００２７】
第２の筐体２０は、略矩形であり、第２のタッチ表示部２１及び第２のカラーセンサ２２が配置される第１の面２０Ａ、第１の面２０Ａに対向する第２の面２０Ｂ、短手方向の互いに対向する側面２０Ｃ、２０Ｄ、長手方向の互いに対向する側面２０Ｅ、２０Ｆを備えている。
【００２８】
第２のタッチ表示部２１は、第１の面２０Ａの略中央に配置されている。第２のタッチ表示部２１は、第２の表示部２１ｂと、第２の表示部２１ｂに重畳された第２のタッチパネル２１ａとを有する。第２のタッチ表示部２１は、第２の表示部２１ｂに文字、図形、画像等の情報を表示するとともに、指、スタイラス、ペン等（以下、「指示体」と称する）を用いて第２のタッチパネル２１ａに対して行われる各種操作を検出する。第２のタッチパネル２１ａが各種操作を検出する方式は、静電容量式、感圧式等の方式を採用することができる。
【００２９】
第２のカラーセンサ２２は、第２の面２０Ａのタッチ表示部２１の上方、すなわち、第２の面２０Ａの側面２０Ｅ側に配置されている。第２のカラーセンサ２２は、第１のタッチ表示部１１（第１の表示部１１ｂ）のカラーキャリブレーションを実行する場合に使用される。
【００３０】
図２は、携帯型情報処理装置１の各種状態を説明するための模式図である。図２において、１０１はクローズ状態、１０２はクラムシェル状態、１０３はタブレット状態を示している。
【００３１】
携帯型情報処理装置１は、第１のタッチ表示部１１（第１の筐体１０の第１の面１０Ａ）と第２のタッチ表示部２１（第２の筐体２０の第１の面２０Ａ）の向きで規定される各種状態（クローズ（Ｃｌｏｓｅ）、ブック（Ｂｏｏｋ）状態、クラムシェル（Ｃｌａｍｓｈｅｌｌ）状態、タブレット（Ｔａｂｌｅｔ）状態、テント（Ｔｅｎｔ）状態、ベーシック（Ｂａｓｉｃ）状態）を取ることができる。
【００３２】
クローズ状態は、角度θ＝０度で、第１のタッチ表示部１１と第２のタッチ表示部２１が内側を向いて対向する状態である。クラムシェル状態は、０度＜θ＜１８０度で、第１のタッチ表示部１１又は第２のタッチ表示部１２が概ね水平にある状態である。ブック状態は、０度＜θ＜１８０度で、第１のタッチ表示部１１の側面１０Ｄ側と第２のタッチ表示部２１の側面２０Ｄ側が概ね鉛直方向の上方向側にある状態である。タブレット状態は、θ＝１８０度で、第１のタッチ表示部１１と第２のタッチ表示部２１が概ね面一にある状態である。テント状態は、１８０度＜θ＜３６０度にある状態であり、第１のタッチ表示部１１の側面１０Ｅ側及び第２のタッチ表示部２１の側面２０Ｅ側が概ね鉛直方向の下方向側にある状態である。ベーシック状態は、角度θ＝３６０度で、第１のタッチ表示部１１と第２のタッチ表示部２１が外側を向いて対向する状態である。
【００３３】
図３は、携帯型情報処理装置１がクローズ状態にある場合の断面構成を模式的に示す図である。図３において、第１の筐体１０に設けられた第１のカラーセンサ１１は、第２の筐体２０に設けられた第２のタッチ表示部２１のカラーキャリブレーションを実行する場合に使用される。第１のカラーセンサ１１は、クローズ状態で第２のタッチ表示部２１に対向する位置に配置されている。
【００３４】
同様に、第２の筐体２０に設けられた第２のカラーセンサ２２は、第１の筐体１０に設けられた第１のタッチ表示部１１のカラーキャリブレーションを実行する場合に使用される。第２のカラーセンサ２２は、携帯型情報処理装置のクローズ状態で第１のタッチ表示部１１に対向する位置に配置されている。
【００３５】
本実施の形態では、携帯型情報処理装置１は、第１のカラーセンサ１２及び第２のカラーセンサ２２を使用して、それぞれ第２のタッチ表示部２１及び第１のタッチ表示部１１のカラーキャリブレーションを実行して、第１のタッチ表示部１１と第２のタッチ表示部２１の色の適正な表示状態を維持するようにしている。カラーキャリブレーションは、例えば、クローズ状態で同時に実行され、第２のカラーセンサ２２は、第１のタッチ表示部１１に表示されるカラーパターンを検出し、第１のカラーセンサ１２は、第２のタッチ表示部２１に表示されるカラーパターンを検出する。携帯型情報処理装置１のクローズ状態では、第１のカラーセンサ１２及び第２のカラーセンサ２２に外部から光りが入り込まないように、第１の筐体１０、第２の筐体１０、第１のカラーセンサ１１、および第２のカラーセンサ１２等が構成されている。
【００３６】
図４は、図１の携帯型情報処理装置１の概略のハードウェア構成例を示す図である。携帯型情報処理装置１は、同図に示すように、制御部３０、メモリ３１、ストレージ３２、第１のタッチ表示部１１、第２のタッチ表示部２１、第１のカラーセンサ１２、第２のカラーセンサ２２、通信部３２、及び電源部３４を備えている。
【００３７】
第１のタッチ表示部１１は、第１の表示部１１ｂと、第１の表示部１１ｂに重畳された第１のタッチパネル１１ａとを有する。第１のタッチパネル１１ａは、指やペン等の指示体を用いて第１のタッチパネル１１ａに対して行われた各種操作を、操作が行われた場所の第１のタッチパネル１１ａ上での位置とともに検出し、制御部３０に通知する。第１のタッチパネル１１ａによって検出される操作には、タッチ操作、スライド操作、及びピッチ操作が含まれる。第１の表示部１１ｂは、例えば、液晶ディスプレイ（ＬＣＤ：Liquid  Crystal  Display）や有機ＥＬ（Organic  Electro−Luminescence）パネルなどで構成され、制御部３０の制御に従って文字や図形等を表示する。
【００３８】
第２のタッチ表示部２１は、第２の表示部２１ｂと、第２の表示部２１ｂに重畳された第２のタッチパネル２１ａとを有する。第２のタッチパネル２１ａは、指やペン等の指示体を用いて第２のタッチパネル２１ａに対して行われた各種操作を、操作が行われた場所の第２のタッチパネル２１ａ上での位置とともに検出し、制御部３０に通知する。第２のタッチパネル２１ａによって検出される操作には、タッチ操作、スライド操作、及びピッチ操作が含まれる。第２の表示部２１ｂは、例えば、液晶ディスプレイ（ＬＣＤ：Liquid  Crystal  Display）や有機ＥＬ（Organic  Electro−Luminescence）パネルなどで構成され、制御部１００の制御に従って文字や図形等を表示する。
【００３９】
第１のカラーセンサ１２は、例えば、Ｒ，Ｇ，Ｂセンサで構成されている。第１のカラーセンサ１２は、制御部３０によって動作を制御されており、第２の表示部２１ｂに表示されるテストパターンのＲ，Ｇ，Ｂ値を検出結果として、制御部３０に出力する。
【００４０】
第２のカラーセンサ２２は、例えば、Ｒ，Ｇ，Ｂセンサで構成されている。第２のカラーセンサ２２は、制御部３０によって動作を制御されており、第１の表示部１１ｂに表示されるテストパターンのＲ，Ｇ，Ｂ値を検出結果として、制御部３０に出力する。
【００４１】
第１のカラーセンサ１２及び第２のカラーセンサ２２は、例えば、照度センサ（ＡＬＳ：Ambient  Light  Sensor）やカメラ等で構成することにしてもよい。
【００４２】
通信部３３は、制御部３０の制御に従って、各種ネットワークを介して無線及び／又は有線で通信を行う。電源部３４は、制御部３０の制御に従って、蓄電池又はＡＣアダプタから得られる電力を、制御部３０を含む携帯型情報処理装置１の各部へ供給する。
【００４３】
メモリ３１は、例えば、ＲＡＭやＤＲＡＭ等で構成されており、制御部３０によって実行されるプログラム、制御部３０が参照するデータ、制御部３０の演算結果等が一時的に記憶されるワークエリアとして使用される。
【００４４】
ストレージ３２は、制御部３０によって実行されるプログラムやデータを保持するコンピュータで読み取り可能な記憶媒体であり、ＨＤＤ、ＥＥＰＲＯＭ、及びＳＳＤ等の不揮発性メモリである。
【００４５】
制御部３０は、例えば、ＣＰＵ（Central  Processing  Unit）、マイクロプロセッサ、ＤＳＰ等であり、携帯型情報処理装置１の動作を統括的に制御して各種の機能を実現する。具体的には、制御部１００は、記憶部１０２に記憶されているデータやメモリ１０１に展開したデータを必要に応じて参照しつつ、ストレージ３２に記憶されているプログラムに含まれる命令を実行して、入力機能、画面表示機能、画面のカラーキャリブレーション機能、通信機能、メール機能、及びＷｅｂブラウジング機能等の各種機能を実現する。
【００４６】
また、制御部３０は、不図示のセンサの検出結果に基づいて、携帯型情報処理装置１の状態（ベーシック状態、クローズ状態、タブレット状態、テント状態、ブック状態、クラムシェル状態）を検出する。例えば、第１の筐体１０にＸ１Ｙ１Ｚ１方向（図１参照）の加速度値を検出するための第１の加速度センサ、第２の筐体２０にＸ２Ｙ２Ｚ２方向（図１参照）の加速度値を検出するための第２の加速度センサ、第１の筐体１０及び第２の筐体２０に第２の筐体２０の開閉（クローズ状態及びベーシック状態）を検出するためのＬＩＤセンサ（ホール素子とマグネット）等を設け、制御部３０は、これらのセンサの検出結果に基づいて、携帯型情報処理装置１の状態を検出することにしてもよい。なお、携帯型情報処理装置１の状態を検出する方法はこれに限られるものはなく、他の方法を使用してもよく、例えば、ヒンジ３０の回転角度を検出する角度センサ等を使用してもよい。  
【００４７】
次に、図５及び図６を参照して、上記制御部３０の制御によって実行される第１及び第２の表示部１１ｂ、２１ｂのカラーキャリブレーション処理について説明する。図５は、第１及び第２の表示部１１ｂ、２１ｂのカラーキャリブレーションを行う場合のユーザ操作を説明するための説明図である。図６は、制御部３０の制御によって実行されるカラーキャリブレーション処理の動作の一例を説明するためのフローチャートである。
【００４８】
制御部３０は、カラーキャリブレーション処理を、例えば、ユーザの指示に応じて、又は、所定のタイムスケジュール、又は、所定の周期で実行することができる。
【００４９】
図５を参照して、第１及び第２の表示部１１ｂ、２１ｂのカラーキャリブレーションを実行する場合のユーザ操作の一例を説明する。図５において、ユーザが、携帯型情報処理装置１がクローズ状態以外の状態（同図に示す例では、ブック状態）で作業している場合に、制御部３０は、カラーキャリブレーションの実行タイミングである場合には、第２の表示部２１ｂに、「カラーキャリブレーションを実行します。蓋をクローズして下さい」という旨のメッセージを表示する（Ｓ１）。これに応じて、ユーザが携帯型情報処理装置１をクローズ状態にすると、制御部３０は、第１及び第２の表示部１１ｂ、２１ｂのカラーキャリブレーションを自動実行する（Ｓ２）。その後、ユーザが、クローズ状態を解消すると、制御部３０は、第２の表示部２１ｂにキャリブレーション結果を表示する（Ｓ３）。
【００５０】
次に、図６を参照して、制御部３０の制御によって実行される第１及び第２の表示部１１ｂ、２１ｂのカラーキャリブレーション処理の動作の一例を説明する。図６において、まず、制御部３０は、カラーキャリブレーションの実行タイミングであるか否かを判断し（ステップＳ１）、カラーキャリブレーションの実行タイミングである場合には（ステップＳ１の「Ｙｅｓ」）、第１又は第２の表示部１１ｂ、２１ｂにカラーキャリブレーションを実行する旨の表示を行う（ステップＳ２）。
【００５１】
これに応じて、ユーザは、携帯型情報処理装置１をクローズ状態にする。そして、制御部３０は、携帯型情報処理装置１がクローズ状態であるか否かを判断し（ステップＳ３）、携帯型情報処理装置１がクローズ状態である場合には（ステップＳ３の「Ｙｅｓ」）、カラーキャリブレーションを実行する。
【００５２】
具体的には、制御部３０は、まず、第１の表示部１１ｂ及び第２の表示部２１ｂにカラーパターンを表示する（ステップＳ４）。第１のカラーセンサ１２は、第２の表示部２１ｂに表示されたカラーパターンを検出し、第２のカラーセンサ２２は、第１の表示部１１ｂに表示されたカラーパターンを検出する（ステップＳ５）。
【００５３】
制御部３０は、第１のカラーセンサ１２の検出結果に基づいて、第２の表示部２１ｂのカラーキャリブレーション（色相、彩度、明度、γ等の調整）を行い、第２のカラーセンサ２２の検出結果に基づいて、第１の表示部１１ｂのカラーキャリブレーションを行う（ステップＳ６）。
【００５４】
例えば、制御部３０は、第１のカラーセンサ１２及び第２のカラーセンサ２２の検出結果に基づいて、第１の表示部１１ｂ及び第２の表示部２１ｂの色の表示状態（色相、彩度、明度、γ等）が初期値（工場出荷値）になるようにカラーキャリブレーションを実行することにしてもよい。
【００５５】
また、制御部３０は、第１のカラーセンサ１２及び第２のカラーセンサ２２の検出結果に基づいて、第１の表示部１１ｂと第２の表示部２１ｂとの色の表示状態を揃えるようにカラーキャリブレーションを行うことにしてもよい。この場合、第１の表示部１１ｂを基準とする場合には、第２の表示部２１ｂの色の表示状態を第１の表示部１１ｂに揃える。他方、第２の表示部２１ｂを基準とする場合には、第１の表示部１１ｂの色の表示状態を第２の表示部２１ｂに揃える。なお、基準とする表示部をいずれにするかをユーザが設定するための設定画面を表示して、ユーザが選択可能な構成としてもよい。
【００５６】
なお、図５及び図６に示す例では、制御部３０はカラーキャリブレーションを行う場合に、ユーザにカラーキャリブレーションを実行する旨を表示した後に実行することとしたが、かかる表示を行うことなく、クローズ状態にある場合に自動的にカラーキャリブレーションを実行してもよい。
【００５７】
以上説明したように、本実施の形態によれば、第１の表示部１１ｂが設けられた第１の筐体１０と、第２の表示部２１ｂが設けられた第２の筐体３０と、第１の筐体１０と第２の筐体２０とを回転可能に連結するヒンジ３０と、第１の筐体１０の第１の表示部１１ｂが配置された面に設けられた第１のカラーセンサ１２と、第２の筐体２０の第２の表示部２１ｂが配置された面に設けられた第２のカラーセンサ２２と、第１の表示部１１ｂにカラーパターンを表示して、第２のカラー検出手段の当該カラーパターンの検出結果に基づいて、第１の表示部１１ｂのカラーキャリブレーションを実行し、また、第２の表示部２１ｂにカラーパターンを表示して、第１のカラーセンサ１２の当該カラーパターンの検出結果に基づいて、第２の表示部２１ｂのカラーキャリブレーションを実行する制御部３０と、を備えているので、２つの表示部を有する携帯型情報処理装置において、簡単な構成で２つの表示部のカラーキャリブレーションを実行して、色の表示状態を適正にすることが可能となる。
【００５８】
また、クローズ状態において、第１のカラーセンサ１２は、第１の表示部１１ｂと対向する位置に配置されており、第２のカラーセンサ２１は、第２の表示部２１ｂと対向する位置に配置されていることとしたので、クローズ状態においてカラーキャリブレーションを実行することが可能となる。
【００５９】
また、制御部３０は、第１の表示部１１ｂと第２の表示部２１ｂとの色の表示状態が初期値になるように調整することとしたので、第１の表示部１１ｂと第２の表示部２１ｂの色の表示状態を初期値に合わせることが可能となる。
【００６０】
また、制御部３０は、第１の表示部１１ｂ及び第２の表示部２１ｂのうちの一方の色の表示状態に、他方の色の表示状態を揃えるように調整することとしたので、第１の表示部１１ｂ及び第２の表示部２１ｂ色の表示状態を合わせることが可能となる。
【００６１】
なお、本実施の形態では、クローズ状態（θ＝０度）でカラーキャリブレーションを実行することとしたが、第２の筐体２０を僅かに開いた状態で（θ＞０）カラーキャリブレーションを実行してもよい。
【００６２】
（変形例）
上記実施の形態では、上記図３に示すように、第１のタッチ表示部１１と第２のタッチ表示部２１が線対称に構成されていないため（クローズ状態において、第１のタッチ表示部１１と第２のタッチ表示部２１が完全には重ならない）、第１のタッチ表示部１１と第２のタッチ表示部２１が線対称となるような構成がデザイン上望まれる場合もある。ここで、第１のタッチ表示部１１と第２のタッチ表示部２１を線対称に形成すると、クローズ状態において、第１のカラーセンサ１２と第２のタッチ表示部２１は対向せず、また、第２のカラーセンサ２２と第１のタッチ表示１１は対向しないため、カラーキャリブレーションを実行できなくなってしまう。
【００６３】
そこで、変形例では、第１のタッチ表示部１１と第２のタッチ表示部２１を線対称に形成し（クローズ状態で、第１のタッチ表示部１１と第２のタッチ表示部２１が完全に重なる構成）、クローズ状態において、第１の筐体１０及び第２の筐体１０の少なくとも一方を水平方向（図７及び図８で示すＹ方向又はＸ方向）にスライドさせることが可能なスライド機構を設けている。かかるスライド機構は、手動又は電動としてもよく、また、ヒンジ３０と一体又は別個に形成してもよい。また、ヒンジ３０による３６０度の回転とスライド機構による水平方向のスライドは両立できるように構成されている。なお、水平方向にスライドさせるためのスライド機構は公知の機構を使用できるため、その詳細な説明は省略する。なお、カラーキャリブレーションの方法は上記実施の形態と同様である。
【００６４】
キャリブレーション実行時には、クローズ状態において、スライド機構により、第１の筐体１０及び第２の筐体２０の少なくとも一方を水平方向に移動させることにより、第１のカラーセンサ１１を第２のタッチ表示部２１に対向する位置とし、かつ、第２のカラーセンサ２２を、第１のタッチ表示部１１に対向する位置となるようにする。
【００６５】
図７は、クローズ状態において、第２の筐体２０をＹ方向にスライドさせる例を説明するための模式図である。同図では、携帯型情報処理装置１のクローズ状態の断面及び平面の模式図を示している。ヒンジ３０にスライド機構を搭載して、第２の筐体２０をＹ方向にスライドさせる例を示している。第１のカラーセンサ１２は、第１の筐体１０の第１の面１０Ａの側面１０Ｅ側に、第２のカラーセンサ２２は、第２の筐体２０の第１の面２０Ａの側面２０Ｆ側に配置されている。
【００６６】
第１のタッチ表示部１１と第２のタッチ表示部２１は線対称（Ｘ方向を基準として）に形成されている。通常の場合には、クローズ状態において、第１のタッチ表示部１１と第２のタッチ表示部２１はＺ方向に完全に重なった状態となっているが、第１のカラーセンサ１２と第２のタッチ表示部２１は対向しておらず、また、第２のカラーセンサ１２と第１のタッチ表示１１は対向していない。
【００６７】
キャリブレーション実行時には、クローズ状態において、例えば、ユーザが第２の筐体２０に対してＹ方向に力を加えると、ヒンジ３０がＹ方向にスライドすることにより、第２の筐体２０はＹ方向にスライドする。これにより、第１のカラーセンサ１２と第２のタッチ表示２１は対向し、かつ、第２のカラーセンサ１２と第１のタッチ表示部１１は対向した状態となる。この状態で、カラーキャリブレーションを実行する。
【００６８】
図８は、クローズ状態において、第２の筐体２０をＸ方向にスライドさせる例を説明するための模式図である。同図では、ヒンジにスライド機構を搭載して、第２の筐体２０をＸ方向にスライドさせる例を示している。同図では、携帯型情報処理装置１のタブレット状態及びクローズ状態の平面の模式図を示している。ヒンジは、例えば、第１の筐体１０を連結する第１のヒンジ部３０Ａと、第２の筐体２０を連結する第２のヒンジ部３０Ｂとで構成し、第２のヒンジ部３０Ｂは、第１のヒンジ部３０Ａに対してＸ方向にスライド可能に構成されている。第１のカラーセンサ１２は、第１の筐体１０の第１の面１０Ａの側面１０Ｄ側に、第２のカラーセンサ２２は、第２の筐体２０の第２の面２０Ａの側面２０Ｃ側に配置されている。
【００６９】
第１のタッチ表示部１１と第２のタッチ表示部２１は線対称（Ｘ方向を基準として）に形成されている。通常の場合には、クローズ状態において、第１のタッチ表示部１１と第２のタッチ表示部２１とがＺ方向に完全に重なった状態となっているが、第１のカラーセンサ１２と第２のタッチ表示部２１は対向しておらず、また、第２のカラーセンサ１２と第１のタッチ表示部１１は対向していない。
【００７０】
キャリブレーション実行時には、クローズ状態において、例えば、ユーザが第２の筐体２０に対してＸ方向に力を加えると、ヒンジ３０ＢがＸ方向にスライドすることにより、第２の筐体２０はＸ方向にスライドする。これにより、第１のカラーセンサ１２と第２のタッチ表示部２１は対向し、かつ、第２のカラーセンサ２２と第１のタッチ表示部１１は対向した状態となる。この状態で、カラーキャリブレーションを実行する。
【００７１】
変形例によれば、第１の表示部１１ｂと第２の表示部２１ｂを線対称に形成し、第１の筐体１０及び第２の筐体２０の少なくとも一方を水平方向にスライド可能なスライド機構を設け、スライド機構は、クローズ状態において、第１のカラーセンサ１２が第２の表示部と対向する位置となり、第２のカラーセンサ２２が、第２の表示部２１ｂと対向する位置となるように、第１の筐体１０及び第２の筐体２０の少なくとも一方を水平方向にスライドさせることとしたので、第１の表示部と第２の表示部を線対称に形成した場合でも、第１の表示部及び第２の表示部のカラーキャリブレーションを実行することが可能となる。
【符号の説明】
【００７２】
１  携帯型情報処理装置
１０  第１の筐体
１０Ａ  第１の面
１０Ｂ  第２の面
１１  第１のタッチ表示部
１１ａ  第１のタッチパネル
１１ｂ  第１の表示部
１２  第１のカラーセンサ
２０  第２の筐体
２０Ａ  第１の面
２０Ｂ  第２の面
２１  第２のタッチ表示部
２１ａ  第２のタッチパネル
２１ｂ  第２の表示部
２２  第２のカラーセンサ
３０  制御部
３１  メモリ
３２  ストレージ
３３  通信部
３４  電源部
【図１】
2016133714.tif 000003
【図２】
2016133714.tif 000004
【図３】
2016133714.tif 000005
【図４】
2016133714.tif 000006
【図５】
2016133714.tif 000007
【図６】
2016133714.tif 000008
【図７】
2016133714.tif 000009
【図８】
2016133714.tif 000010